(57)【要約】【課題】浮上している小物品を沈下させて再浮上する際に所定の場所に納めるという従来の遊びとは異なった発想のゲーム玩具を提供するとともに、渦巻きの中で小物品が上下動する視覚的に面白い渦巻きゲーム玩具を提供すること。【解決手段】水槽２の底部に配置されたファン４を回転させて水槽２内に渦巻きを発生させ、水中の小物品５を上下動させてゲームをする渦巻きゲーム玩具であって、水槽２の下に配置した基台１には上記ファン４を回転させる駆動機構Ａを配置し、上記水槽２の上面開口部は蓋体６で遮蔽し、該蓋体６の裏面中央には水槽２の底面中央に向かって先端が先窄まりに形成された軸体７を突出させ、上記小物品５を水槽内の水よりも軽い比重の素材で形成するとともに中央には貫通孔８を形成し、該貫通孔８は上記軸体７に挿通する大きさにした。【選択図】図１
2005278981.tif 000002
【特許請求の範囲】
【請求項１】
水槽の底部に配置されたファンを回転させて水槽内に渦巻きを発生させ、水中の小物品を上下動させてゲームをする、以下の要件を備えることを特徴とする渦巻きゲーム玩具。
（イ）上記水槽の下には基台が配置され、該基台には上記ファンを回転させる駆動機構が配置されていること
（ロ）上記水槽の上面開口部は蓋体で遮蔽され、該蓋体の裏面中央には水槽の底面中央に向かって垂直に軸体を突出させたこと
（ハ）上記軸体の先端は先窄まりに形成されていること
（二）上記小物品は水槽内の水よりも軽い比重の素材で形成されるとともに中央には貫通孔が形成され、該貫通孔は上記軸体に挿通する大きさであること
【請求項２】
前記小物品を球体で構成し、前記軸体の先端には浮上する小物品を受け止める受け体を設けた、請求項１記載の渦巻きゲーム玩具。
【請求項３】
前記ファンを前記水槽に着脱可能に形成するとともに、前記水槽と前記基台とを分離可能に形成し、上記ファンと前記駆動機構とを間接的に連係させた、請求項１記載の渦巻きゲーム玩具。
【発明の詳細な説明】
【技術分野】
【０００１】
本発明は、渦巻きゲーム玩具、詳しくは水槽内で渦巻きを起こし、小物品を渦の底に引き込み浮上時に水槽内に上方から差し込まれた軸体の下端から挿通させる渦巻きゲーム玩具に関するものである。
【背景技術】
【０００２】
従来、水槽内に水の流れを起こして水中にある物体を移動させて遊ぶゲーム玩具が提案されている（例えば、特許文献１）。このゲーム玩具は、水槽の内部に水より比重の重い小部材を収納し、ポンプを操作して水に流れを発生させて小部材を水の流れに乗せて水槽内を移動させ、水槽内に配置された受け部に小部材が入るようにポンプを操作して遊ぶものである。
【特許文献１】登録実用新案第３０１６３７７号
【発明の開示】
【発明が解決しようとする課題】
【０００３】
本発明が解決しようとする問題点は、上述のゲーム玩具は下から上に向かって水流を起こし、水中に沈んでいる小部材を水流に載せて上方に移動させ落下時に受け部に入るようにポンプを操作するものであるが、下にあるものを持ち上げて上方にある受け部に入れるというゲームは一般的であり飽きられる恐れがあり発想の転換が望まれていた。
【０００４】
本発明は、上記問題点を解決し、水中に沈んでいる小物品を浮上させて落下する際に、所定の場所に納めるという従来の発想を転換し、浮上している小物品を沈下させて再浮上する際に所定の場所に納めるという従来の遊びとは異なった発想のゲーム玩具を提供するとともに、渦巻きの中で小物品が上下動する視覚的に面白い渦巻きゲーム玩具を提供することを課題とする。
【課題を解決するための手段】
【０００５】
前記課題を解決するために本発明に係る渦巻きゲーム玩具は、水槽の底部に配置されたファンを回転させて水槽内に渦巻きを発生させ、水中の小物品を上下動させてゲームをする、以下の要件を備えることを特徴とする。
（イ）上記水槽の下には基台が配置され、該基台には上記ファンを回転させる駆動機構が配置されていること
（ロ）上記水槽の上面開口部は蓋体で遮蔽され、該蓋体の裏面中央には水槽の底面中央に向かって垂直に軸体を突出させたこと
（ハ）上記軸体の先端は先窄まりに形成されていること
（二）上記小物品は水槽内の水よりも軽い比重の素材で形成されるとともに中央には貫通孔が形成され、該貫通孔は上記軸体に挿通する大きさであること
【０００６】
なお、前記小物品を球体で構成し、前記軸体の先端には浮上する小物品を受け止める受け体を設け、前記ファンで発生させた渦巻きで水中に引き込まれて再浮上する小物品を受け止めるようにしてもよい。
【０００７】
また、前記ファンを前記水槽に着脱可能に形成するとともに、前記水槽と前記基台とを分離可能に形成し、上記ファンと前記駆動機構とを間接的に連係させてもよい。
【発明の効果】
【０００８】
請求項１の発明によれば、水槽内の水を攪拌して渦巻きを発生させて水中の小物品を渦巻きの底まで引き込み、蓋体の中央から下方に突出した軸体に挿通させるという新しい発想のゲーム玩具を実現することができる。
【０００９】
請求項２の発明によれば、小物品を球体で構成し、軸体の先端に浮上する小物品を受け止める受け体を設けたので、一旦受け止めた小物品もファンの回転で形成された渦巻きに再度巻き込まれるため、小物品を軸体に挿通させる遊びとは異なった遊びを楽しむことができる。
【００１０】
請求項３の発明によれば、水槽と駆動機構を備えた基台とが分離でき、ファンを水槽に着脱可能にしたので、水槽は自分の好みのデザインのコップなどを用いることができ、オリジナリティのある渦巻きゲーム玩具を実現することができる。
【発明を実施するための最良の形態】
【００１１】
水槽の底部に配置されたファンを回転させ、水槽内に渦巻きを発生させて水中の小物品を移動させる渦巻きゲーム玩具であって、上記水槽の下に配置した該基台には上記ファンを回転させる駆動機構を設け、上記小物品を水槽内の水よりも軽い比重の素材でリング状に形成し、上記水槽の上面開口部を遮蔽する蓋体の裏面中央には水槽の底面中央に向かって垂直に先端が先窄まりに形成された軸体を配置し、ファンを回転させて渦巻きを発生させ、渦の下部まで引き込んだ小物品が再浮上する際に軸体に挿通できるようにした。
【実施例１】
【００１２】
図１は、本発明に係る渦巻きゲーム玩具の一例を示し、この渦巻きゲーム玩具は、基台１上に水槽２が配置され、基台１の側面から突出した押しボタン３の押し操作により基台１内に配置された駆動機構Ａを作動させ、水槽２内のファン４を回転させて水槽２内に渦巻きを発生させ、この渦巻きで水中の小物品５を上下動させるようにしたものである。
【００１３】
上記水槽２は上面が開口した透明な有底筒状部材で構成され、基台１上に適宜方法で固定されており、上記開口部は内部の水がこぼれないように蓋体６で塞がれている。この蓋体６は水槽２に着脱できるようになっていてもよい。この蓋体６の裏面中央には水槽２の底部中央に向かって軸体７が突出形成されるとともに、その先端７ａは先窄まりに形成され、ファン４の上方まで達している。
【００１４】
小物品５は、水槽２内の水の比重よりも軽い素材（例えば、ポリエチレン）で中央に貫通孔８が形成され、全体としてリング状に形成され、水槽２内に複数収容されている。なお、上記貫通孔８の内径は上記軸体７の外径よりも大きく形成され、軸体７に容易に挿通させることができるようになっている。
【００１５】
上記基台１内に配置された駆動機構Ａは、図２、図３に示すように、押しボタン３と一体で側面にラックギヤ１０が形成されたスライダ１１と、このラックギヤ１０に噛み合う遊星歯車１２と、遊星歯車１２が選択的に噛み合うピニオンギヤ１３と、このピニオンギヤ１３と同軸の平歯車１４と、この平歯車１４に噛み合う歯車１５と、この歯車１５が固定されたフライホイール１６とで構成され、フライホイール１６の回転軸１７の上端は、水槽２の下面にパッキンホルダー１８で保持されたパッキン１９を貫通して水槽２内に突出し、その先端にファン４が固定されている。
【００１６】
上記スライダ１１はスプリング２０で押しボタン３が基台１から突出するように付勢されているので、押しボタン３は繰り返し押し操作できるようになっており、押しボタン３の押圧時にはラックギヤ１０に噛み込んだ遊星歯車１２はピニオンギヤ１３に噛み合い、これを回転させるのでピニオンギヤ１３と同軸の平歯車１４が歯車１５を介して、フライホイール１６を回転させる。押しボタンの押圧を解除すると、スプリング２０に付勢されてスライダ１１が押しボタン３を基台１から押し出す方向にスライドするので遊星ギヤ１２もラックギヤ１０に噛み合った状態でピニオンギヤ１３から離れるので、フライホイール１６は回転を持続することができるようになっており、押しボタン３を繰り返し押し操作するとフライホイール１６を高速で連続回転させることができファン４を連続回転させることができるようになっている。
【００１７】
上記構成の渦巻きゲーム玩具によれば、押しボタン３を繰り返し押し操作するとファン４が連続回転し水槽２内の水に渦巻きが発生し、浮遊していた小物品５が渦に巻き込まれて軸体７の下方まで引き込まれる。押しボタン３の押し操作を調整してファン４の回転を下げると、渦巻きの回転が弱まり小物品５の浮力で上昇するが、このとき貫通孔８が軸体７の下方に位置する小物品５は浮上しながら軸体７に挿通する。軸体７の先端７ａが先窄まりになっているので、小物品５は滑らかに軸体７に挿通する。小物品５が軸体７に挿通しない場合は、押しボタン３を再度押し操作し、ファン４を回転させ、渦巻きの勢いを強くすれば、小物品５は再び水槽２の底まで引き込まれるので、再度軸体７に挿通させる機会を作り出すことができ、図４に示すように、水槽２内の全ての小物品５を軸体７に挿通させるまでゲームを実行することができる。ゲームが終了したら渦巻きゲーム玩具を逆さにして小物品５を浮上させ、軸体７から外せばよい。
【００１８】
なお、上記ファンは駆動機構と回転軸で直結されていなくてもよい。図５に示すように、ファン３０を羽部３１と直径方向に磁石３２、３２が固定された円板３３とで一体に形成し、上面に円弧状のスリット３４が多数形成されたケース体３５の内部に回転可能に軸支することによりファンユニットＣを構成し、このファンユニットＣを適宜手段（例えば、ウレタンやゴム等の弾性を有するリング部材）で水槽２の底部に固定しておけばよい。
【００１９】
そして、基台１の内部には、上記ファン３０を回転させる駆動機構Ｂが配置されていればよい。この駆動機構Ｂは、上記円板３３に対面するように配置された回転円板３６と、この回転円板３６を回転させるモータ４５とで構成され、この回転円板３６の上面には上記円板３３の磁石３２に対向する位置に、磁石３２と反発又は吸引する関係に磁石３７、３７が固定されているので回転円板３６が回転すると磁石３７、３７と磁石３２、３２とが反発又は吸引しあった状態で円板３３が回転させられてファン３０が回転するようになっている。
【００２０】
上記回転円板３６の裏面には歯車３８が固定されこの歯車３８の回転軸３９は、図６に示すように、基台１の底板４０の軸受４１と基台１の天板４２の軸受４３とで軸支され、上記３８歯車には、モータ４５の回転軸に固定されたピニオンギヤ４６が噛み合っているので、モータ４５が回転するとピニオンギヤ４６、歯車３８を介して回転円板３６が回転し、回転円板３６が回転すると回転円板３６上の磁石３７、３７とファン３０の磁石３２、３２とが反発又は吸引状態にあるのでファン３０が回転するようになっている。
【００２１】
このファン３０の回転は基台に設けた押しボタンスイッチ（図示せず）を押している間回転するようにしておけば、押しボタンスイッチの押し操作でモータ４５を連続回転させてファン３０を連続回転させ、渦巻きの勢いを強くしたり、押し操作を解除してモータ４５の回転を止め、ファンの回転速度を落して渦巻きの勢いを弱めたりすることにより、水槽内の小物品の動きをコントロールすることができる。
【実施例２】
【００２２】
図７（ａ）は、渦巻きゲーム玩具の他の例を示し、この渦巻きゲーム玩具は、小物品５を小さな球体で構成し、軸体７の先端に浮上する球体５を受け止める椀状の受け体９を設けるとともに、この受け体９を透明な樹脂で形成したものである。この渦巻きゲーム玩具はファン４を回転させて渦巻きを発生させ、発生した渦巻きに巻き込んで水中に引き込んだ球体５が浮上する際に、図７（ｂ）に示すように、受け体９で球体５を受け止めるようにしたもので、上下動する球体の動きで渦巻きがより鮮明になり、視覚的な面白さもより強調されるようになるとともに、球体の色を複数設定しておけば受け体９が透明なので、受け止めた球体５が識別できるので、決めた色のみの球体を受け部に入れられるか否かを競うゲームを楽しむことが可能になる。なお、上記小物品の形状は、小さな魚や人魚など水中を遊泳するものであれば球体に限定されることはない。
【実施例３】
【００２３】
図８は、渦巻きゲーム玩具のさらに他の例を示し、この渦巻きゲーム玩具は、基台と水槽とが分離できるようになっており、ファンが水槽に着脱できるようになっているものである。
【００２４】
この渦巻きゲーム玩具は、基台５０の上面に嵌合縁部５１が周設され、この嵌合縁部５１には水槽５２の底部５２ａが嵌合できるようになっていればよい。そして、水槽５２の底にファンユニット５３をウレタンやゴム等の弾性を有するリング部材５４で固定し、水槽５２内に水を張り、小物品５を投入し、底面から軸体５５が下方に突出した蓋体５６を水槽５２の上から被せて組み上げればよい。
【００２５】
なお、上記基台５０の内部に配置した駆動機構は上述した駆動機構Ｂと同じ機構の駆動機構であればよく、ファンユニット５３は上述したファンユニットＣと同じ機構のファンユニットであればよい。
【００２６】
上記構成の渦巻きゲーム玩具によれば、水槽をガラスやプラスチックの水飲みコップに置き換えることが可能になり、自分の好みのコップでオリジナリティのある渦巻きゲーム玩具を作り上げることができる。
【図面の簡単な説明】
【００２７】
【図１】本発明に係る渦巻きゲーム玩具の斜視図
【図２】上記渦巻きゲーム玩具の駆動機構の分解斜視図
【図３】上記駆動機構を説明する要部断面図
【図４】上記渦巻きゲーム玩具の使用態様を説明する斜視図
【図５】上記駆動機構の他の例を説明する分解斜視図
【図６】上記他の例の駆動機構を説明する要部断面図
【図７】（ａ）（ｂ）は渦巻きゲームの他の例を説明する斜視図及び要部断面図
【図８】渦巻きゲームのさらに他の例を説明する分解斜視図
【符号の説明】
【００２８】
１    基台
２    水槽
４    ファン
５    小物品
６    蓋体
７    軸体
８    貫通孔
【図１】
2005278981.tif 000003
【図２】
2005278981.tif 000004
【図３】
2005278981.tif 000005
【図４】
2005278981.tif 000006
【図５】
2005278981.tif 000007
【図６】
2005278981.tif 000008
【図７】
2005278981.tif 000009
【図８】
2005278981.tif 000010